【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
第１の導電膜と、
前記第１の導電膜との間に予め定めた間隙を設けて配置され、前記第１の導電膜に対向する面とは反対側の面をタッチ面とする絶縁性フィルムからなり、前記タッチ面へ加えられる押圧力により前記第１の導電膜の方向に撓み変形するタッチ用基板と、
前記タッチ用基板の前記第１の導電膜と対向する面に、前記第１の導電膜と予め定めた間隙を設けて形成さられた第２の導電膜と、
前記第１と第２の導電膜の少なくとも一方の導電膜上に、予め定めた面積を有する形状に形成された誘電体パッドと、
を備えることを特徴とする静電容量型タッチパネル。
【請求項２】
前記誘電体パッドは、前記第１と第２の導電膜上にそれぞれ、互いに対向させて形成されていることを特徴とする請求項１に記載の静電容量型タッチパネル。
【請求項３】
前記誘電体パッドは、予め定めた複数の位置にそれぞれ配置されており、前記第１と第２の導電膜のいずれか一方の導電膜は、互いに交差する２つの方向のうちの一方の方向の両端の縁部と、他方の方向の両端の縁部とにそれぞれ、これらの縁部の略全長にわたって設けられた帯状の端子電極を備えていることを特徴とする請求項１または２に記載の静電容量型タッチパネル。
【請求項４】
一方の面にタッチ面が形成された誘電体からなる基板と、
前記基板の他方の面に設けられた導電膜と、
前記基板の前記タッチ面上に、予め定めた面積を有する形状に形成され、導電性を有するタッチ物体によりタッチされる導電体パッドと、
を備えることを特徴とする静電容量型タッチパネル。
【請求項５】
前記導電体パッドは、予め定めた複数の位置にそれぞれ配置されており、前記導電膜は、互いに交差する２つの方向のうちの一方の方向の両端の縁部と、他方の方向の両端の縁部とにそれぞれ、これらの縁部の略全長にわたって設けられた帯状の端子電極を備えていることを特徴とする請求項４に記載の静電容量型タッチパネル。
【手続補正２】
【補正対象書類名】明細書
【補正対象項目名】０００５
【補正方法】変更
【補正の内容】
【０００５】
そのため、従来の静電誘導型タッチパネルは、前記タッチ面を、指先のような前記タッチ面に対する接触面積が比較的大きいタッチ物体によりタッチしたときは、タッチ入力を検出することができるが、前記タッチ面を、タッチペン等の前記タッチ面に対する接触面積が小さいタッチ物体によりタッチしたときは、そのタッチ物体と前記導電膜との間に形成される容量の値が極く小さく、前記導電膜から前記容量を介して前記物体に流れる電流値の変化が微弱であるため、タッチ入力を検出することができない。
【手続補正３】
【補正対象書類名】明細書
【補正対象項目名】０００８
【補正方法】変更
【補正の内容】
【０００８】
請求項２に記載の発明は、前記請求項１に記載の静電容量型タッチパネルにおいて、前記誘電体パッドは、前記第１と第２の導電膜上にそれぞれ、互いに対向させて形成されていることを特徴とする。
【手続補正４】
【補正対象書類名】明細書
【補正対象項目名】０００９
【補正方法】変更
【補正の内容】
【０００９】
請求項３に記載の発明は、前記請求項１または２に記載の静電容量型タッチパネルにおいて、前記誘電体パッドは、予め定めた複数の位置にそれぞれ配置されており、前記第１と第２の導電膜のいずれか一方の導電膜は、互いに交差する２つの方向のうちの一方の方向の両端の縁部と、他方の方向の両端の縁部とにそれぞれ、これらの縁部の略全長にわたって設けられた帯状の端子電極を備えていることを特徴とする。
【手続補正５】
【補正対象書類名】明細書
【補正対象項目名】００１０
【補正方法】変更
【補正の内容】
【００１０】
この発明の請求項４に記載の静電誘導型タッチパネルは、
一方の面にタッチ面が形成された誘電体からなる基板と、
前記基板の他方の面に設けられた導電膜と、
前記基板の前記タッチ面上に、予め定めた面積を有する形状に形成され、導電性を有するタッチ物体によりタッチされる導電体パッドと、
を備えることを特徴とする。
【手続補正６】
【補正対象書類名】明細書
【補正対象項目名】００１１
【補正方法】変更
【補正の内容】
【００１１】
請求項５に記載の発明は、前記請求項４に記載の静電容量型タッチパネルにおいて、前記導電体パッドは、予め定めた複数の位置にそれぞれ配置されており、前記導電膜は、互いに交差する２つの方向のうちの一方の方向の両端の縁部と、他方の方向の両端の縁部とにそれぞれ、これらの縁部の略全長にわたって設けられた帯状の端子電極を備えていることを特徴とする。
【手続補正７】
【補正対象書類名】明細書
【補正対象項目名】００１８
【補正方法】変更
【補正の内容】
【００１８】
さらに、前記一対の基板２，３の内面には、前記透明電極６，７を覆って配向膜（図示せず）が設けられており、前記液晶層５の液晶分子は、前記一対の基板２，３間において、前記配向膜により規定される配向状態に配向している。
【手続補正８】
【補正対象書類名】明細書
【補正対象項目名】００１９
【補正方法】変更
【補正の内容】
【００１９】
この液晶表示素子１は、液晶分子をツイスト配向させたＴＮまたはＳＴＮ型、液晶分子を基板２，３面に対して垂直に配向させた垂直配向型、液晶分子をツイストさせることなく基板２，３面に対して平行に配向させた水平配向型、液晶分子をベンド配向させるベンド配向型のいずれか、あるいは強誘電性または反強誘電性液晶表示素子であり、前記一対の偏光板９，１０は、それぞれの透過軸の向きを、良好なコントラストが得られるように設定して配置されている。
【手続補正９】
【補正対象書類名】明細書
【補正対象項目名】００４１
【補正方法】変更
【補正の内容】
【００４１】
そして、前記第２の導電膜１５のＸ軸方向の両端に印加される電圧と、前記第２の導電膜１５のＹ軸方向の両端に印加される電圧は、同電位の交流電圧であるため、前記タッチ用基板１４のタッチ面１４ａをタッチしないときは、前記第２の導電膜１５のＸ軸方向の両端に交流電圧を印加したときも、Ｙ軸方向の両端に交流電圧を印加したときも、前記第２の導電膜１５には電流が流れない。そのため、このときの前記タッチパネル駆動回路２０の第１と第２の電流センサ２４，２５の測定電流値は差異が生じない。
【手続補正１０】
【補正対象書類名】明細書
【補正対象項目名】００６３
【補正方法】変更
【補正の内容】
【００６３】
また、前記帯状の端子電極１７ａ，１７ｂ，１８ａ，１８ｂは、前記第１と第２の導電膜１３，１５のうちの前記複数のゴムパッド１６を形成した導電膜に設けてもよく、その場合は、他方の導電膜を接地し、前記複数のゴムパッド１６と帯状端子電極１７ａ，１７ｂ，１８ａ，８４ｂを形成した導電膜の一方の方向の両端と、他方の方向の両端とに、同相の交流電圧を交互に印加すればよい。
【手続補正１１】
【補正対象書類名】明細書
【補正対象項目名】００６５
【補正方法】変更
【補正の内容】
【００６５】
（第２の実施形態）
図４はこの発明の第２の実施例を示す静電容量型タッチパネルを備えた液晶表示装置の断面図であり、この実施例の静電容量型タッチパネル１１ａは、第１と第２の両方の導電膜１３，１５上の予め定めた複数の位置にそれぞれ、予め定めた面積を有するゴムパッド１６ａ，１６ｂを互いに対向させて形成し、前記第１と第２の導電膜１３，１５のいずれか一方、例えばタッチ用基板１４に設けられた第２の導電膜１５の互いに交差する２つの方向（Ｘ軸方向とＹ軸方向）の両端の縁部にそれぞれ帯状端子電極１７ａ，１７ｂ，１８ａ，１８ｂを設けたものである。
【手続補正１２】
【補正対象書類名】明細書
【補正対象項目名】００６７
【補正方法】変更
【補正の内容】
【００６７】
この実施例の静電容量型タッチパネル１１ａは、前記第１と第２の導電膜１３，１５のうちの前記帯状端子電極１７ａ，１７ｂ，１８ａ，１８ｂが設けられていない第１の導電膜１３を接地し、前記帯状端子電極１７ａ，１７ｂ，１８ａ，１８ｂが設けられた第２の導電膜１５の一方の方向の両端への同相の交流電圧の印加と、前記第２の導電膜１５の前記他方の方向の両端への同相の交流電圧の印加とを交互に行うことにより、前記タッチ用基板１４のタッチ面１４ａのタッチ部（ゴムパッド１６ａ，１６ｂに対応する部分）の前記２つの方向の位置を検出する。
【手続補正１３】
【補正対象書類名】明細書
【補正対象項目名】００７３
【補正方法】変更
【補正の内容】
【００７３】
この実施例の静電容量型タッチパネル３１は、一方の面にタッチ面３２ａが形成された透明な誘電体からなる基板３２と、前記基板３２の他方の面に設けられた透明な導電膜３３と、前記基板３２の前記タッチ面３２ａ上に、予め定めた面積を有する形状に形成され、導電性を有するタッチ物体によりタッチされる導電体パッド３４とを備えている。
【手続補正１４】
【補正対象書類名】明細書
【補正対象項目名】００７４
【補正方法】変更
【補正の内容】
【００７４】
誘電体からなる前記基板３２は、ガラスまたはアクリル系樹脂等からなっており、この基板３２のタッチ面３２ａとは反対面に設けられた前記導電膜３３は、前記液晶表示素子１の画面エリアの全体に対応する一枚膜状のＩＴＯ膜からなっている。
【手続補正１５】
【補正対象書類名】明細書
【補正対象項目名】００８５
【補正方法】変更
【補正の内容】
【００８５】
一方、前記基板３２のタッチ面３２ａ上に形成された前記複数の導電体パッド３４のいずれかを前記導電性タッチペン３８によりタッチすると、前記導電膜３３のＸ軸方向の両端に交流電圧を印加したときに、前記導電膜１５のＸ軸方向の一端と他端からそれぞれ、タッチされた導電体パッド３４と誘電体基板３２を介して対峙する導電膜３３との間に前記誘電体基板３２の誘電率と前記導電体パッド３４の面積に応じた値に応じて形成された導電体パッド容量を介して前記導電性タッチペン３８に電流が流れる。また、前記導電膜３３のＹ軸方向の両端に交流電圧を印加したときに、前記導電膜３３のＹ軸方向の一端と他端からそれぞれ、前記導電体パッド容量を介して前記導電性タッチペン３８に電流が流れる。
【手続補正１６】
【補正対象書類名】明細書
【補正対象項目名】００８６
【補正方法】変更
【補正の内容】
【００８６】
そのため、前記導電膜３３のＸ軸方向の両端に交流電圧を印加したときに、前記導電膜３３のＸ軸方向の一端から前記導電体パッド容量を介して前記導電性タッチペン３８に流れる電流値と、前記Ｘ軸方向の他端から前記導電体パッド容量を介して前記導電性タッチペン３８に流れる電流値とに基づいて、前記タッチ部のＸ軸方向の位置を検出し、前記導電膜３３のＹ軸方向の両端に交流電圧を印加したときに、前記導電膜３３のＹ軸方向の一端から前記導電体パッド容量を介して前記導電性タッチペン３８に流れる電流値と、前記Ｙ軸方向の他端から前記導電体パッド容量を介して前記導電性タッチペン３８に流れる電流値とに基づいて、前記タッチ部のＹ軸方向の位置を検出することができる。
【手続補正１７】
【補正対象書類名】明細書
【補正対象項目名】００８７
【補正方法】変更
【補正の内容】
【００８７】
このように、この実施例の静電容量型タッチパネル３１は、前記基板３２のタッチ面３２ａとは反対面に導電膜３３を設け、前記基板３２のタッチ面３２ａ上に、予め定めた面積を有する複数の導電体パッド３４を形成し、前記基板３２のタッチ面３２ａ上に形成された前記複数の導電体パッド３４を前記導電性タッチペン３８により選択的にタッチしたときに、前記導電膜３３から、タッチされた導電体パッド３４と基板３２を挟んで対峙する導電膜３３とにより形成される導電体パッド容量を介して前記導電性タッチペン３８に電流が流れるようにしたものであり、前記導電体パッド容量の値は、前記導電体パッド３４の面積に対応した一定の値であるため、前記基板３２のタッチ面３２ａ上の前記導電体パッド３４を前記導電性タッチペン３８のような前記タッチ面３２ａ上の接触面積が極く小さい導電性タッチ物体によりタッチしたときでも、前記導電膜３３と前記導電性タッチペン３８との間を十分大きな値の容量接続することが可能になり、前記導電性タッチ物体に、前記導電体パッド容量を介して充分な電流が流れる。
【手続補正１８】
【補正対象書類名】明細書
【補正対象項目名】００８８
【補正方法】変更
【補正の内容】
【００８８】
なお、前記導電体パッド３４のタッチは、前記導電性タッチペン３８以外の導電性を有するタッチ物体、例えば人の指先等で行ってもよく、そのときも、前記導電膜３３から前記タッチ物体に、前記導電体パッド容量を介して充分な電流が流れる。